(57)【特許請求の範囲】
【請求項１】
読取対象物に光を照射する少なくとも１つの光源を含む照明装置及び該読取対象物からの反射光を反射させるミラー部材を有し、副走査方向に沿って往復動可能な第１の走行体と、
複数の前記ミラー部材を有し、前記第１の走行体に対して１／２の速度で前記副走査方向に沿って往復動可能な第２の走行体と、
前記複数のミラー部材を介して折り返し反射される反射光を結像させる光学レンズと、
前記光学レンズにより結像される反射光像を光電変換する光電変換素子、該光電変換素子の取付面に設けられた制御素子、及び該取付面と反対側の取付裏面の下部に設けられ前記照明装置に給電するための給電部を有するセンサボードユニットと、
前記光学レンズ及び前記センサボードユニットを一体的に保持する保持部材と、
前記第１の走行体、前記第２の走行体、前記光学レンズ及び前記センサボードユニットを収納するとともに、前記保持部材を着脱可能に取り付けるベース部材を有する筐体と、
一端部が前記照明装置に接続され、他端部が前記給電部に接続されるとともに、前記反射光の前記光学レンズに入射される光軸を避けた配線経路に配線されるフレキシブルケーブルと、
前記一端部から前記保持部材による前記光学レンズの保持部に到る前までの前記配線経路に配線される前記フレキシブルケーブルを案内する複数のケーブルガイド部材と、
を備えた画像読取装置であって、
前記他端部の前記フレキシブルケーブルは、前記保持部材と前記ベース部材との間に形成された隙間を通って、前記センサボードユニットの前記給電部に接続された画像読取装置。
【請求項２】
請求項１記載の画像読取装置において、
前記保持部材と前記ベース部材との間における前記隙間の部分に、前記フレキシブルケーブルの這い回し領域よりも広く覆うようにシート状の絶縁部材を装着したことを特徴とする画像読取装置。
【請求項３】
請求項１又は２記載の画像読取装置において、
前記保持部材に含まれ、前記光学レンズを保持するレンズ保持部材と、
前記レンズ保持部材と前記ベース部材とを締結する締結部であって、該ベース部材の上面が前記レンズ保持部材の下面に接触すべく所定量上方に突出した複数の締結部と、を有し、
前記隙間は、前記複数の締結部を避けた部位に形成されていることを特徴とする画像読取装置。
【請求項４】
請求項１〜３の何れか１つに記載の画像読取装置において、
前記保持部材は、前記光学レンズを保持するレンズ保持部材、及び該レンズ保持部材に連結され、前記センサボードユニットの下端が前記ベース部材の上面から所定量上方に離間するように前記センサボードユニットを保持する連結保持部材を有し、
前記隙間は、前記ベース部材の上面と前記センサボードユニットの下端との間に形成されていることを特徴とする画像読取装置。
【請求項５】
請求項１〜４の何れか１つに記載の画像読取装置において、
前記照明装置は、
前記副走査方向と直交する主走査方向の端部に、前記フレキシブルケーブルの前記一端部と接続される被接続部を持つ基板と、
前記基板に前記主走査方向に複数配置された光源と、
前記光源からの前記光を前記読取対象物に導く導光体と、
前記基板と前記導光体とを前記第１の走行体に固定する固定部材と、
からなることを特徴とする画像読取装置。
【請求項６】
読取対象物の画像を読み取る画像読取装置と、
前記画像読取装置により読み取られた画像データに基づいて画像形成を行う画像形成部と、
を備えた画像形成装置において、
前記画像読取装置は、請求項１〜５の何れか１つに記載の画像読取装置であることを特徴とする画像形成装置。
【発明の詳細な説明】
【技術分野】
【０００１】
本発明は、画像読取装置及び画像形成装置に関する。
【背景技術】
【０００２】
画像読取装置において、第１走行体と第２走行体とを備えた縮小光学系の画像読取装置が知られている。第１走行体は、コンタクトガラス上に載置された原稿に光を照射する光源と、原稿からの反射光を折り返し反射するミラーとを有し、主走査方向と直交する副走査方向に往復動可能に構成されている。
第２走行体は、第１走行体のミラーで反射された反射光を、さらに折り返し反射する２枚のミラーを有していて、第１走行体に対して１／２の速度で副走査方向に往復動可能に構成されている。第２走行体で反射された原稿の反射光は、レンズを介して電源供給元であるセンサボードユニット（以下、ＳＢＵ（Sencer Board Unit）ともいう）上に配置された光電変換素子であるＣＣＤ等の画像センサに集光するようになっている。
【０００３】
第１走行体に設置された光源としての露光ランプへの配線手段としてフレキシブルフラットケーブル（以下、ＦＦＣ（Flexible Flat Cable）ともいう）を使用している構成が知られている（例えば、特許文献１参照）。
また、上記露光ランプに代えて、照明装置として、光源であるＬＥＤチップが主走査方向に複数配列されて構成されたＬＥＤ基板と、複数のＬＥＤチップから照射された光を拡散させる導光体等とを備えたものが既に知られている。
【０００４】
後述する実施形態中で説明するように、上記照明装置に電力を供給するＦＦＣの一端部は、上記照明装置に接続される。一方、ＦＦＣの他端部は、光軸を避けながら第２走行体を回り込み、複数のケーブルガイド部材（以下、単にガイドともいう）により位置を規制されながら電源供給元であるＳＢＵ側に這い回される。具体的には、ＦＦＣの他端は、第２走行体の副走査方向の下流に配置されたレンズとＳＢＵを固定するレンズブロックユニット上に設けられたガイドで規制されながら這い回され、ＳＢＵ上部に設置された給電部に接続するようになっている。
【０００５】
ＳＢＵにおける画像センサの取付面及び反対側の取付裏面の画像センサの中央部近傍には、画像センサ以外に集積回路（ＩＣ）等からなる制御素子が効率的に多数配置されていて、ＳＢＵの稼働によって発熱するようになっている。
上記したＦＦＣの這い回しでは、レンズブロックユニット上にガイドが必要であるとともに、ＳＢＵの稼働による発熱が上方へ拡散しようとするのに対しＦＦＣが覆ってしまうため効率的な放熱ができないという問題があった。
【発明の概要】
【発明が解決しようとする課題】
【０００６】
本発明は、上述した事情に鑑みてなされたものであり、ケーブルガイド部材を削減することが可能であるとともに、センサボードユニット稼動による発熱を効率的に放熱することが可能な画像読取装置を提供することを主な目的とする。
【課題を解決するための手段】
【０００７】
上記目的を達成するために、本発明は、読取対象物に光を照射する少なくとも１つの光源を含む照明装置及び該読取対象物からの反射光を反射させるミラー部材を有し、副走査方向に沿って往復動可能な第１の走行体と、複数の前記ミラー部材を有し、前記第１の走行体に対して１／２の速度で前記副走査方向に沿って往復動可能な第２の走行体と、前記複数のミラー部材を介して折り返し反射される反射光を結像させる光学レンズと、前記光学レンズにより結像される反射光像を光電変換する光電変換素子、該光電変換素子の取付面に設けられた制御素子、及び該取付面と反対側の取付裏面の下部に設けられ前記照明装置に給電するための給電部を有するセンサボードユニットと、前記光学レンズ及び前記センサボードユニットを一体的に保持する保持部材と、前記第１の走行体、前記第２の走行体、前記光学レンズ及び前記センサボードユニットを収納するとともに、前記保持部材を着脱可能に取り付けるベース部材を有する筐体と、一端部が前記照明装置に接続され、他端部が前記給電部に接続されるとともに、前記反射光の前記光学レンズに入射される光軸を避けた配線経路に配線されるフレキシブルケーブルと、前記一端部から前記保持部材による前記光学レンズの保持部に到る前までの前記配線経路に配線される前記フレキシブルケーブルを案内する複数のケーブルガイド部材と、を備えた画像読取装置であって、前記他端部の前記フレキシブルケーブルは、前記保持部材と前記ベース部材との間に形成された隙間を通って、前記センサボードユニットの前記給電部に接続された画像読取装置である。
【発明の効果】
【０００８】
本発明によれば、ケーブルガイド部材を削減することができるとともに、センサボードユニット稼動による発熱を効率的に放熱することができる。
【図面の簡単な説明】
【０００９】
【図１】実施形態１に係る画像形成装置の斜視図である。
【図２】実施形態１に係る画像読取装置（フレキシブルフラットケーブルの這い回し、レンズブロックユニット等を除く）の模式的な断面図である。
【図３】照明装置の構成を示す斜視図である。
【図４】照明装置を主走査方向から見た要部の断面図である。
【図５】比較例に係る画像読取装置（フレキシブルフラットケーブルの這い回し、レンズブロックユニット等を含む）の要部の模式的な断面図である。
【図６】図５の模式的な平面図である。
【図７】（ａ）は図５の要部の模式的な断面図であり、（ｂ）は（ａ）の模式的な平面図である。
【図８】（ａ）は実施形態１に係る画像読取装置（フレキシブルフラットケーブルの這い回し、レンズブロックユニット等を含む）の模式的な断面図であり、（ｂ）は（ａ）の模式的な平面図である。
【図９】（ａ）はベース底部に締結されたステーレンズブロック周りの平面図、（ｂ）は（ａ）におけるＳ１−Ｓ１断面図である。
【図１０】ステーレンズブロックの下面への絶縁シートの貼り付け範囲を示すステーレンズブロックの下面図である。
【図１１】ベースの上面への絶縁シートの貼り付け範囲を示すベースの上面図である。
【図１２】（ａ）はＦＦＣ及びケーブルガイドが配置された第１キャリッジ、第２キャリッジ周りの概略的な平面図、（ｂ）は第１キャリッジに配置されたケーブルガイドの拡大斜視図である。
【図１３】（ａ）〜（ｄ）は各部に配置されたケーブルガイドの拡大斜視図である。
【図１４】本発明を適用することが可能な画像読取装置の模式的な断面図である。
【発明を実施するための形態】
【００１０】
以下、図を参照して実施例を含む本発明の実施の形態を詳細に説明する。各実施形態及び比較例等に亘り、同一の機能および形状等を有する構成要素（部材や構成部品）等については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００１１】
（実施形態１）
図１を用いて、本発明の実施形態１に係る画像形成装置１０１の全体構成について説明する。図１は本発明の実施形態１に係る画像形成装置の概略的な斜視図である。
図１に示すように、実施形態１に係る画像形成装置１０１は、画像形成部を含む画像形成装置本体１Ａと、画像形成装置本体１Ａの上部に配置された画像読取装置１０２と、画像読取装置１０２の上部に配置された原稿自動搬送装置１０３と、を備えている。
図１において、１２は原稿自動搬送装置１０３に設けられた圧板部分を、１３は画像読取装置１０２の前面部に設けられた操作部を、それぞれ示している。また、括弧を付して示す画像形成装置１０１Ｘ及び画像読取装置１０２Ｘは、従来装置の一例を表わしており、後述する比較例に相当する。
【００１２】
画像形成装置本体１Ａは、例えば、被記録媒体としての用紙等のシートに電子写真方式で画像形成を行う画像形成部と、収納されている用紙等のシートを画像形成部へ給送可能な給紙ローラ等の給送手段と、を備えている。電子写真方式で画像形成を行う画像形成部の一例としては、特開２０１２−２０８４１８号公報の図１に示されている複写機からなる画像形成装置（１）の画像形成部（３０）が挙げられる。
尚、画像形成装置は、複写機に限らず、プリンタ、ファクシミリ装置あるいはこれらの機能を複数備えた複合機であってもよい。また画像形成部は、電子写真方式で画像形成を行うものに限らず、孔版印刷装置等の印刷部等であってもよいことは無論である。
【００１３】
図２を用いて、画像読取装置１０２の概略構成（ＦＦＣの這い回し、レンズブロックユニット等を除く）について説明する。図２は実施形態１に係る画像読取装置（ＦＦＣの這い回し、レンズブロックユニット等を除く構成）の模式的な断面図である。画像読取装置１０２は、第１キャリッジ３、第２キャリッジ６、光学レンズ７、撮像素子８、センサボードユニットの一例としてのＳＢＵ１１等を有している。図２において、１８は第１キャリッジ３、第２キャリッジ６、光学レンズ７、撮像素子８、ＳＢＵ１１等を収納する筐体を、ＫＪは原稿反射光の読取光軸を、それぞれ示す。
第１キャリッジ３は、読取対象物としての原稿に光を照射する２つの照明装置３００ａ，３００ｂ及び原稿からの反射光を反射させるミラー部材としての第１ミラー２を有し、副走査方向Ｆに沿って往復動可能な第１の走行体として機能する。第１ミラー２の両端は、第１キャリッジ３の筐体フレーム３Ｆに支持されている。
【００１４】
２つの照明装置３００ａ，３００ｂの構成部品は、図２では省略して全体を模式的に示しており、後述の図３、図４で詳述する。比較的生産性（複写枚数）の高い機種の画像形成装置に搭載される画像読取装置１０２では、高い照度を確保する必要があり、このような点から照明装置を複数配置した構成（実施形態１では２灯式の照明装置３００ａ，３００ｂ）となっている。
【００１５】
第２キャリッジ６は、複数のミラー部材としての第２ミラー４、第３ミラー５を有し、第１キャリッジ３に対して１／２の速度で副走査方向Ｆに沿って往復動可能な第２の走行体として機能する。第２ミラー４、第３ミラー５のそれぞれの両端は、第２キャリッジ６の筐体フレーム６Ｆに支持されている。
光学レンズ７は、第２キャリッジ６の副走査方向Ｆの右側に配置されており、第１ミラー２、第２ミラー４、第３ミラー５を介して折り返し反射される原稿の反射光を結像させる機能を有する。
【００１６】
撮像素子８は、光学レンズ７により結像される反射光像を光電変換する光電変換素子として機能し、例えばＣＣＤ（電荷結合素子）からなる。
ＳＢＵ１１は、撮像素子８と、この撮像素子８の取付面１１ａ及びこれと反対側の取付裏面１１ｂに設けられた多数の制御素子と、取付裏面１１ｂの下部に設けられ照明装置３００ａ，３００ｂに給電するための給電部としての給電コネクタ１５とを有する。給電コネクタ１５は、電源に接続された電源ハーネスに接続されている。
【００１７】
上記制御素子は、主として撮像素子８を駆動制御するための集積回路（ＩＣ）等からなり、図２、後述の図５〜図８等に亘りその図示を省略している。上記制御素子は、ＳＢＵ１１における撮像素子８の取付面１１ａ及び取付裏面１１ｂの中央部近傍に効率的に多数配置されていて、ＳＢＵ１１の稼働によって発熱する。
【００１８】
図１、図２を用いて画像読取装置１０２の動作を説明する。第１キャリッジ３が一定の速度で副走査方向Ｆの右側に往動するとともに、第２キャリッジ６が第１キャリッジ３の1／2の速度で第１キャリッジ３に追従して往動する。これにより、原稿読取ガラス９上の原稿が光学的に走査される。即ち、原稿読取ガラス９上の原稿が２つの照明装置３００ａ，３００ｂにより光照射されて、その反射光像が第１ミラー２、第２ミラー４、第３ミラー５を介して光学レンズ７に導かれ、光学レンズ７により撮像素子８上に結像される。この際、撮像素子８は、結像された原稿の反射光像を光電変換してアナログ画像信号とし、原稿の読み取りが行われる。
【００１９】
また、シート原稿を連続で自動読み取りする場合、原稿自動搬送装置１０３により原稿をシート原稿読取ガラス１０上に搬送させ、シート原稿読取ガラス１０上を通る反射光像が撮像素子８上に結像される。そのとき、第１キャリッジ３、第２キャリッジ６は固定され、搬送されるシート原稿の画像を読み取る。
一方、ブック原稿を読み取る場合、原稿自動搬送装置１０３を一度開放して、原稿読取ガラス９上にブック原稿をセットした後、原稿自動搬送装置１０３を閉じることで、原稿自動搬送装置１０３に設けられた圧板部分１２で、ブック原稿を押さえることができる。これら読み取りの動作は、操作部１３に設けられたスタートキーが押下されることにより開始される。
【００２０】
図３、図４を用いて、画像読取装置の照明装置及び照明装置側のＦＦＣ１４の這い回しの概略について説明する。図３は照明装置の構成を示す斜視図であり、図４は画像読取装置に搭載されている照明装置を主走査方向から見た断面図である。
照明装置３００は、主走査方向Ｓに延在する基板としてのＬＥＤ基板３０２上に、光源であるＬＥＤチップ３０１を主走査方向Ｓに複数配列されており、ネジ３０５によりブラケット３０３により固定されている。ＬＥＤ基板３０２の主走査方向Ｓの端部には、照明装置３００に給電するためのＦＦＣ（フレキシブルフラットケーブル）の一端部（コネクタ）を接続する被接続部としてのコネクタ３０４が配置されている。また、図３では図示を省略しているが、各ＬＥＤチップ３０１からの光を読取対象物方向に導き拡散させて照射する導光体３０６及びカバー３０７（図４参照）も備えている。
【００２１】
図４において、本実施形態１の照明装置が２灯式であることを表わすために、図３で説明した照明装置３００の各構成部品の符号の末尾に添え字符号ａ，ｂを付加することとする。
２つの照明装置３００ａ，３００ｂは、図４に示すように、第１キャリッジ３上で副走査方向Ｆに読取光軸ＫＪを挟んで対向して配置されている。そして、それぞれの照明装置３００ａ，３００ｂと図２に示した電源供給元であるＳＢＵ１１の給電コネクタ１５とを接続する手段として、フレキシブルケーブルの一例としてのフレキシブルフラットケーブルであるＦＦＣ１４を使用している。ＦＦＣ１４は電源供給元のＳＢＵ１１から第１キャリッジ３までの配線経路においては1本のケーブルであるが、第１キャリッジ３上で二股に分岐したＦＦＣ１４ａ、ＦＦＣ１４ｂとなり、それぞれの照明装置３００ａ，３００ｂに接続されている。ＦＦＣ１４は、光学レンズ７に入射される原稿反射光の読取光軸ＫＪを避けた配線経路を通ってＳＢＵ１１の給電コネクタ１５に接続されるように配線される単一のフレキシブルケーブルとなっている。
【００２２】
ＦＦＣ１４の一端部には、各照明装置３００ａ，３００ｂのコネクタ３０４ａ，３０４ｂに接続するためのオス又はメス型のコネクタが接続されている。同様に、ＦＦＣ１４の他端部には、電源供給元であるＳＢＵ１１の給電コネクタ１５に接続するためのオス又はメス型のコネクタが接続されている。
【００２３】
（比較例のＦＦＣの這い回し構成）
説明が前後するが、図５〜図７を用いて、従来装置の一例としての比較例に係る画像読取装置１０２ＸにおけるＦＦＣの這い回しの問題点について説明する。図５は比較例に係る画像読取装置の模式的な断面図、図６は図５の模式的な平面図である。図７（ａ）は図５の要部の模式的な断面図、図７（ｂ）は図７（ａ）の模式的な平面図である。
図５において、１６は、コンタクトガラスとも呼ばれる原稿読取ガラス９上に載置された原稿を示している。
【００２４】
比較例に係る画像読取装置１０２Ｘは、実施形態１に係る画像読取装置１０２と比較して、光学レンズ７の配置部からＳＢＵ１１に到るＦＦＣ１４の這い回し方、ケーブルガイドが１つ増設されている点、及びＳＢＵ１１に配置された給電コネクタの位置が相違する。以下、画像読取装置１０２Ｘの上記相違点を中心に説明する。
【００２５】
まず、実施形態１に係る画像読取装置１０２と共通の構成要素であるベース及びレンズブロックユニットを構成する構成部材について補説する。図５、図７に示すように、第１キャリッジ３、第２キャリッジ６、光学レンズ７、撮像素子８、ＳＢＵ１１等を収納している筐体１８の底面上には、ベース部材としてのベース２３が設置されている。ベース２３は、鉄などの板材である板金で形成されている。
光学レンズ７及びＳＢＵ１１は、レンズブロックユニット２０に一体的に取り付け・保持されている。レンズブロックユニット２０は、光学レンズ７及びＳＢＵ１１を一体的に保持する保持部材として機能する。
【００２６】
レンズブロックユニット２０は、光学レンズ７を保持するレンズ保持部材としてのステーレンズブロック２１と、ＳＢＵ１１を保持する連結保持部材としてのホルダレンズブロック２２（図中薄い黒模様で示す）とが連結されて構成されている。ステーレンズブロック２１及びホルダレンズブロック２２は、比較的薄い鉄などの板材である板金で形成されていて、ネジなどの締結部材を介して、ベース２３に対して着脱可能に取り付けられる。
ホルダレンズブロック２２は、電気絶縁性のシート部材を挟んだ状態で、図５におけるＳＢＵ１１の主走査方向Ｓ（紙面奥側）の端部にネジ等で取り付け固定されている。ホルダレンズブロック２２は、図７（ｂ）、図８（ｂ）では図の簡明化のために省略されている。
【００２７】
ホルダレンズブロック２２は、複数回直角に折り曲げられた形状をなし、ＳＢＵ１１の下端面がベース２３の上面から所定量上方に離間して第２の隙間Ｃ２を形成するように、ＳＢＵ１１を吊り下げ保持している。この隙間Ｃ２は、例えば５〜１５ｍｍ程度の範囲となるように設定されている。この隙間Ｃ２が形成されていることにより、ＳＢＵ１１に配置されている多数の上記制御素子等がベース２３に接触して通電することを未然に防止している。このようにホルダレンズブロック２２は、ＳＢＵ１１を吊り下げ保持しているとともに、ステーレンズブロック２１に保持されている光学レンズ７と撮像素子８との取り付け位置関係を設定している部材である。
【００２８】
図５〜図７に示すように、比較例では、ＳＢＵ１１に配設された給電コネクタ１５Ｘは、図２に示した実施形態１の給電コネクタ１５の取付裏面１１ｂと反対側の、取付面１１ａにおける撮像素子８の上部に設置されている。そして、ＦＦＣ１４の一端部のコネクタが照明装置３００ａ，３００ｂの各コネクタ３０４ａ，３０４ｂに接続され、ＦＦＣ１４の他端部のコネクタがＳＢＵ１１の給電コネクタ１５Ｘに接続されている。ＦＦＣ１４は、読取光軸ＫＪを避けた配線経路に配線されている。
【００２９】
図５〜図７において、ケーブルガイド１７Ａ，１７Ｂ，１７Ｃ，１７Ｄは、破線で模式的に示されており、電気絶縁性の樹脂で形成されていて、ＦＦＣ１４を囲むようにＦＦＣ１４の配線経路の４箇所に設置・固定されている。ケーブルガイド１７Ａは第１キャリッジ３の筐体フレーム３Ｆに設置固定され、ケーブルガイド１７Ｂは第２キャリッジ６の筐体フレーム６Ｆの略中央部に設置固定されている。ケーブルガイド１７Ｃはステーレンズブロック２１に到る前の配線経路に設置固定され、ケーブルガイド１７Ｄはステーレンズブロック２１上に設置固定されている。
以下、各設置個所の個別のケーブルガイド１７Ａ，１７Ｂ，１７Ｃ，１７Ｄを説明するとき以外は、これらを総称して、ケーブルガイド１７という。ケーブルガイド１７は、ＦＦＣ１４を副走査方向Ｆに案内するとともに、設定された配線経路から主走査方向Ｓへずれたり、ケーブルガイド１７自体からＦＦＣ１４が外れたりするのを防止するケーブルガイド部材として機能する。ケーブルガイド１７Ａ，１７Ｂ，１７Ｃの各設置個所における個別の具体的な取付け状態は、後述する実施形態１のＦＦＣの這い回しで補説する。
【００３０】
図５〜図７を用いて、比較例のＦＦＣ１４の這い回しを説明する。ＦＦＣ１４の他端部側は、第１キャリッジ３のケーブルガイド１７Ａによって位置を規制された後、読取光軸ＫＪを避けながらケーブルガイド１７Ｂによって位置を規制されながら第２キャリッジ６を回り込んで這い回わされる。この後、ＦＦＣ１４は、ステーレンズブロック２１上のケーブルガイド１７Ｄによって位置を規制されながらレンズブロックユニット２０を横断する。そして、ＦＦＣ１４の他端部コネクタは、ＳＢＵ１１の取付面１１ａにおける撮像素子８の上部に配置されている電源供給元である給電コネクタ１５Ｘに接続される。
【００３１】
以上説明したとおり、上述した比較例のＦＦＣ１４の這い回しでは、レンズブロックユニット２０のステーレンズブロック２１上に設置されたケーブルガイド１７Ｄが必要であった。また同時に、図７（ａ）に示したように、ＳＢＵ１１の稼働による発熱によって取付面１１ａ及び取付裏面１１ｂの両側に生じた熱風ＨＡが上方へ拡散しようとするのに対し、ＦＦＣ１４が覆ってしまうため効率的な放熱ができないという問題があった。
【００３２】
（実施形態１のＦＦＣの這い回し構成）
以下、図８〜図１１を用いて、比較例における上記２つの問題を同時に解消した実施形態１のＦＦＣの這い回し構成について詳述する。図８（ａ）は実施形態１に係る画像読取装置の要部の模式的な断面図、図８（ｂ）は図８（ａ）の要部の模式的な平面図である。図９（ａ）はベース底部に締結されたステーレンズブロック周りの平面図、図９（ｂ）は図９（ａ）におけるＳ１−Ｓ１断面図である。図１０はステーレンズブロックの下面（裏面）への絶縁シートの貼り付け範囲を示すステーレンズブロックの下面図、図１１はベースの上面（底面）への絶縁シートの貼り付け範囲を示すベースの上面図である。
実施形態１は、図５〜図７の比較例と比較して、図８に示すように、レンズブロック２１上に設置されたケーブルガイド１７Ｄを不要にした点、及びＳＢＵ１１の稼働による発熱を効率的に放熱可能となるようにＦＦＣ１４の他端部を這い回した点が相違する。
【００３３】
図８（ａ）、図８（ｂ）に示すように、ＦＦＣ１４の他端部は、ステーレンズブロック２１とベース２３との間に形成された第１の隙間Ｃ１を利用して這い回されている。更に、ＦＦＣ１４の他端部のコネクタは、ＳＢＵ１１の下端面とベース２３上面との間に形成された第２の隙間Ｃ２を利用して這い回され、ＳＢＵ１１の取付裏面１１ｂの給電コネクタ１５に接続されている。
【００３４】
また、隙間Ｃ１を利用して、ステーレンズブロック２１の下面、ベース２３の上面には、ＦＦＣ１４の這い回し領域よりも広く覆うようにシート状の絶縁部材である絶縁シート２４が貼り付けられている。即ち、ベース２３の上面とステーレンズブロック２１の下面とのＦＦＣ１４との接触部分に絶縁シート２４が装着されている。絶縁シート２４の材質はＰＰＥ（ポリフェニレンエーテル）であり、絶縁シート２４の厚さは、例えば０．１ｍｍのものを用いている。
【００３５】
図１０に示すように、ステーレンズブロック２１の下面には、ＦＦＣ１４の配線領域よりも広く覆うように、メッシュ模様で示す絶縁シート２４が貼り付けられている。また、図１１に示すように、ベース２３の上面には、ＦＦＣ１４の配線領域よりも広く覆うように、メッシュ模様で示す絶縁シート２４が貼り付けられている。図９（ａ）、図１１に示すように、ベース２３の上面（底面）には、絶縁シート２４の貼り付け位置・範囲を明示するために、ケガキ線２７が表示されている。このケガキ線２７の表示は、プレス成形時に同時に形成してもよい。
【００３６】
図９（ａ）、図９（ｂ）に示すように、ステーレンズブロック２１とベース２３との間に形成される隙間Ｃ１は、０．４ｍｍ程度であり、ステーレンズブロック２１がベース２３にネジ２５で締結される４箇所の締結部２６を避けた部位に形成されている。図９（ｂ）に示すように、締結部２６においては、ベース２３の上面（底面）がステーレンズブロック２１の下面に接触すべく所定量（０．４ｍｍ程度）上方に突出した突出部２３ａを形成するように、プレス成形等によって形成される。これは、光学レンズ７を保持するステーレンズブロック２１の高さ方向の精度を確保するために通常行われている技術であり、本願発明者らはこれに着目し巧みに利用した。尚、図９（ａ）において、２８はキャリッジ走行用のレールを示す。
【００３７】
図１２、図１３を用いて、ケーブルガイド１７Ａ１，１７Ａ２，１７Ａ，１７Ｂ，１７Ｃについて補説する。図１２（ａ）はＦＦＣ及びケーブルガイドが配置された第１キャリッジ、第２キャリッジ周りの概略的な平面図、図１２（ｂ）は第１キャリッジに配置されたケーブルガイドの拡大斜視図である。図１３（ａ）〜図１３（ｄ）は各部に配置されたケーブルガイドの拡大斜視図である。
ケーブルガイド１７Ａ１，１７Ａ２，１７Ａ，１７Ｂ，１７Ｃは、ＦＦＣ１４を所望の配線経路に這い回すために配置されていて、ネジ２９で固定されている。配置されたケーブルガイドの拡大斜視図である。所望の配線経路に這い回すように形状が形成され、第１キャリッジ３、第２キャリッジ６の可動によって外れないように、複数箇所に外れ防止用リブ１９が一体的に形成されている。
尚、ケーブルガイド１７Ａ１，１７Ａ２は、前もっての説明を省略したが、比較例で説明した図５、図６の第１キャリッジ３のコネクタ３０４ａ，３０４ｂに接続されるＦＦＣ１４ａ，１４ｂの一端部周辺をガイドする部材である。
【００３８】
上述したとおり、実施形態１では、レンズ保持部材としてのステーレンズブロック２１の高さの精度を確保するために設けている既存の隙間Ｃ１を利用して、ベース２３とステーレンズブロック２１とで挟み込むようにしてＦＦＣ１４を這い回すことができる。
また、ＳＢＵ１１とベース２３との接触による通電を防止するために設定されている既存の隙間Ｃ２を利用してＦＦＣ１４の他端部側這い回すことができる。
さらに、絶縁シート２４をそれぞれ装着したベース２３とステーレンズブロック２１とでＦＦＣ１４を挟み込み、ベース２３とステーレンズブロック２１とがネジ２５で締結固定されることにより、ＦＦＣ１４を確実に所定の部位に案内し這い回すことができる。
【００３９】
従って、実施形態１によれば、図５〜図７の比較例で必要であったケーブルガイド１７Ｄが不要となり、ケーブルガイドを削減することができる。
また、図８に示したように、ＳＢＵ１１の撮像素子８が取り付けられていない取付裏面１１ｂ側の、撮像素子８取り付け位置よりも下部の給電コネクタ１５にＦＦＣ１４の他端部コネクタが接続される。これにより、ＦＦＣ１４の他端部が取付面１１ａ及び取付裏面１１ｂの両側に生じた上方へ拡散しようとする熱風ＨＡを覆ってしまうことがなく、熱風ＨＡを上方へ拡散させることで、ＳＢＵ１１稼働による発熱を効率的に放熱することができる。
また、ＦＦＣ１４を挟み込むように絶縁シート２４でＦＦＣ１４を覆うことにより、静電気などの外乱による誤作動を未然に防ぐことができる。
【００４０】
尚、上述した実施形態１に限らず、上記２つの顕著な効果を同時に望まなくてもよいのであれば、隙間Ｃ１及び隙間Ｃ２の何れか一方を利用してＦＦＣを這い回すようなことは、本発明が開示する範囲に過ぎない。
【００４１】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記実施形態や実施例等に記載した技術事項を適宜組み合わせたものであってもよい。
【００４２】
本発明は、実施形態１〜３の画像読取装置１０２に限らず、図１４に例示するような光源１を有する第１キャリッジ３Ｘ等を備えた画像読取装置１０２Ｙや、１灯式の照明装置３００（例えば図３参照）を備えた画像読取装置にも適用することができる。
【００４３】
本発明の実施の形態に適宜記載された効果は、本発明から生じる最も好適な効果を列挙したに過ぎず、本発明による効果は、本発明の実施の形態に記載されたものに限定されるものではない。
【符号の説明】
【００４４】
２    第１ミラー（ミラー部材の一例）
３    第１キャリッジ（第１の走行体の一例）
４    第２ミラー（ミラー部材の一例）
５    第３ミラー（ミラー部材の一例）
６    第２キャリッジ（第２の走行体の一例）
７    光学レンズ
８    撮像素子（電気変換素子の一例）
９    原稿読取ガラス
１０    シート原稿読取ガラス
１１      ＳＢＵ：センサボードユニット
１１ｂ    取付裏面
１４      ＦＦＣ：フレキシブルフラットケーブル（フレキシブルケーブルの一例）
１５      給電コネクタ（給電部の一例）
１６      原稿（読取対象物の一例）
１７Ａ１，１７Ａ２，１７Ａ，１７Ｂ，１７Ｃ      ケーブルガイド（ケーブルガイド部材の一例）
１８      筐体
２０      レンズブロックユニット（保持部材の一例）
２１      ステーレンズブロック（レンズ保持部材の一例）
２２      ホルダレンズブロック（連結保持部材の一例）
２３      ベース（ベース部材の一例）
２４      絶縁シート（シート状の絶縁部材の一例）
２５      ネジ（締結部材）
２６      締結部
２７      ケガキ線
２８      レール
１０１      画像形成装置
１０２      画像読取装置
１０３      原稿自動搬送装置
３００ａ，３００ｂ      照明装置
３０１ａ，３０１ｂ      ＬＥＤチップ（光源の一例）
３０２ａ，３０２ｂ      ＬＥＤ基板（基板の一例）
３０３ａ，３０３ｂ      ブラケット（固定部材の一例）
３０４ａ，３０４ｂ      コネクタ（被接続部の一例）
３０５ａ，３０５ｂ      ネジ
３０６ａ，３０６ｂ      導光体
３０７ａ，３０７ｂ      カバー
Ｃ１，Ｃ２      隙間
ＫＪ      読取光軸
Ｆ      副走査方向
Ｓ      主走査方向
【先行技術文献】
【特許文献】
【００４５】
【特許文献１】特許第４５２７３２０号公報
【図１】
0006589617.tif 000002
【図２】
0006589617.tif 000003
【図３】
0006589617.tif 000004
【図４】
0006589617.tif 000005
【図５】
0006589617.tif 000006
【図６】
0006589617.tif 000007
【図７】
0006589617.tif 000008
【図８】
0006589617.tif 000009
【図９】
0006589617.tif 000010
【図１０】
0006589617.tif 000011
【図１１】
0006589617.tif 000012
【図１２】
0006589617.tif 000013
【図１３】
0006589617.tif 000014
【図１４】
0006589617.tif 000015